(57)【特許請求の範囲】
【請求項１】
表示入力部と、紙幣入出金部と、通帳明細票印字部とを有し、上位装置と通信回線を介して交信する自動取引装置における支払取引実行制御方法であって、
複数の取引名称キーを前記表示入力部に表示し、
前記取引名称キーで支払取引が選択されたとき、支払方法の選択を促す画面を前記表示入力部に表示し、
支払方法として現金による支払が選択されたとき、支払請求伝票に記載され支払先を一意に識別できる所定の番号の入力を促す画面を前記表示入力部に表示し、
前記所定の番号の入力を受けると、支払請求伝票に記載され前記所定の番号と併せて請求金額を特定可能な他の番号の入力を促す画面を前記表示入力部に表示し、
前記所定の番号と前記他の番号とを含む照会データを、通信回線を介して前記上位装置に送信して支払先情報と支払請求金額とを受信し、
支払先情報と支払請求金額とを受信すると、受信した支払先情報と支払請求金額とを示して確認を促す画面を前記表示入力部に表示し、
表示した支払先情報と支払請求金額の確認入力を受けると、前記紙幣入出金部への現金の投入を促す画面を前記表示入力部に表示し、
現金の投入を受けると、前記紙幣入出金部で現金を計数して前記上位装置へ取引実行問い合わせを行い、
取引実行問い合わせに対する回答を受信すると、通帳明細票印字部で明細票を発行することを特徴とする支払取引実行制御方法。
【請求項２】
表示入力部と、カード読取部と、通帳明細票印字部とを有し、上位装置と通信回線を介して交信する自動取引装置における支払取引実行制御方法であって、
複数の取引名称キーを前記表示入力部に表示し、
前記取引名称キーで支払取引が選択されたとき、支払方法の選択を促す画面を前記表示入力部に表示し、
支払方法としてカードによる支払が選択されたとき、前記カード読取部でカードを吸入してそのカードの情報を読み取り、
カードの情報を読み取ると、暗証番号の入力を促す画面を前記表示入力部に表示して暗証番号の入力を受け、
暗証番号の入力を受けると、支払請求伝票に記載され支払先を一意に識別できる所定の番号の入力を促す画面を前記表示入力部に表示し、
前記所定の番号の入力を受けると、支払請求伝票に記載され前記所定の番号と併せて請求金額を特定可能な他の番号の入力を促す画面を前記表示入力部に表示し、
前記所定の番号と前記他の番号とを含む照会データを、通信回線を介して前記上位装置に送信して支払先情報と支払請求金額とを受信し、
支払先情報と支払請求金額とを受信すると、受信した支払先情報と支払請求金額とを示して確認を促す画面を前記表示入力部に表示し、
表示した支払先情報と支払請求金額の確認入力を受けると前記上位装置へ取引実行問い合わせを行い、
取引実行問い合わせに対する回答を受信すると通帳明細票印字部で明細票を発行することを特徴とする支払取引実行制御方法。
【請求項３】
表示入力部と、紙幣入出金部と、カード読取部と、通帳明細票印字部とを有し、上位装置と通信回線を介して交信する自動取引装置における支払取引実行制御方法であって、
支払取引が選択されたとき、支払請求伝票に記載され支払先を一意に識別できる所定の番号の入力を促す画面を前記表示入力部に表示し、
前記所定の番号の入力を受けると、支払請求伝票に記載され前記所定の番号と併せて請求金額を特定可能な他の番号の入力を促す画面を前記表示入力部に表示し、
前記所定の番号と前記他の番号とを含む照会データを、通信回線を介して前記上位装置に送信して支払先情報と支払請求金額とを受信し、
受信した支払先情報と支払請求金額とを前記表示入力部に表示し、
表示した支払先情報と支払請求金額の確認入力を受け、現金の投入、もしくはカードの認証が行われていれば、前記上位装置へ取引実行問い合わせを行い、
取引実行問い合わせに対する回答を受信すると、通帳明細票印字部で明細票を発行することを特徴とする支払取引実行制御方法。
【発明の詳細な説明】
【技術分野】
【０００１】
本発明は、自動取引システムにおいて、自動取引装置にて振込取引を行なう処理方式に
関する。
【背景技術】
【０００２】
特開平６−２８２７２８号公報では、販売業者が振込む際に必要な振込先情報データを
記録した振込カードを顧客に対して発行し、顧客は当該振込カードを用いて自動取引装置
にて振込みを行なう技術が示されている。
【０００３】
【特許文献１】特開平６−２８２７２８号公報
【発明の開示】
【発明が解決しようとする課題】
【０００４】
従来の技術では、振込カードを使用するため、利用できる自動取引装置が特定されてい
た。
【課題を解決するための手段】
【０００５】
上記課題を達成するために、振込先情報に一意の番号を付与し、全ての振込先番号を管
理できるデータベースを持つホストコンピュータを管理センタにて管理し、自動取引装置
を所有する金融機関のホストコンピュータと前述管理センタのホストコンピュータとの通
信手段を設ける。振込人は振込先番号を自動取引装置にて入力すると、振込先番号が自動
取引装置から金融機関のホストコンピュータを介して管理センタのホストコンピュータ上
のデータベースへ伝えられる。管理センタのホストコンピュータは振込先番号を検索し、
振込先番号に対する振込先情報を金融機関のホストコンピュータを介して自動取引装置に
送る。自動取引装置は当該振込先情報を用いて振込処理を行なうことにより、振込人は振
込先金融機関名等の振込情報を入力することなく振込みを行なうことができる。
【０００６】
また、カタログ販売等の販売業者が顧客に対して発行する支払請求伝票に一意の番号を
付与し、振込先情報と関連付けてホストコンピュータ上のデータベースに登録することに
より、振込人は振込先番号と伝票番号を自動取引装置にて入力すると、振込先番号と伝票
番号が自動取引装置から金融機関のホストコンピュータを介して管理センタのホストコン
ピュータ上のデータベースに伝えられる。管理センタのホストコンピュータは振込先番号
および伝票番号により請求金額を金融機関のホストコンピュータを介して自動取引装置に
送る。自動取引装置は請求金額をディスプレイ装置に表示し、振込人に確認させることに
より、振込人は振込金額を入力することなく振込みを行なうことができる。
【０００７】
また、顧客は本システムをサポートする全ての自動取引装置にて振込みが可能である。
【発明の効果】
【０００８】
本発明によれば、利用者は本システムを備えている任意の金融機関の自動取引装置にて
、番号の入力操作のみで振込先を指定することが可能となり、利用者へのサービスおよび
操作性の向上ができる。
【０００９】
また、振込金額を振込先より照会するため、利用者が誤った金額を振込んでしまうとい
ったトラブルも回避できる。
【発明を実施するための最良の形態】
【００１０】
以下に、本発明の実施例を図面を用いて詳細に説明する。
【実施例１】
【００１１】
図１は、本発明の振込みシステム構成図である。各銀行（銀行Ａ１、銀行Ｂ２、・・・
、銀行Ｎ３）のホストコンピュータと管理センタ７のホストコンピュータがそれぞれの通
信回線（通信回線４、通信回線５、・・・、通信回線６）で接続されている。
【００１２】
図２は、本発明による自動取引装置の外観図である。８は自動取引装置の本体であり、
通帳明細出入口９、カード出入口１０、紙幣出入口１１、硬貨出入口１２、操作案内画面
を表示し、処理入力を行なうディスプレイ装置１３で構成されている。
【００１３】
図３は、本発明による自動取引装置と金融機関のホストコンピュータのブロック図であ
る。１４は自動取引装置本体であり、カード読取部１５、通帳明細票印字部１６、紙幣入
出金部１７、硬貨入出金部１８、制御部１９、インターフェース部２０、表示入力部２１
、記憶部２２、電源部２３、２４は金融機関のホストコンピュータとの通信媒体である通
信回線である。２５は金融機関のホストコンピュータ本体であり、記憶部２６、制御部２
７、インターフェース部２８、電源部２９、３０は管理センタのホストコンピュータとの
通信媒体である通信回線である。
【００１４】
図４は、本発明による管理センタのホストコンピュータのブロック図である。
３１は管理センタのホストコンピュータ本体であり、記憶部３２、制御部３３、インタフ
ェース部３４、電源部３５、３０は金融機関のホストコンピュータとの通信媒体である通
信回線である。
【００１５】
図５は、本発明による管理センタのホストコンピュータの振込先番号データベースで管
理されているデータの一例である。３６は振込先番号であり、振込先番号に対して振込先
氏名（会社名）３７、振込先情報（金融機関名、支店名、科目、口座番号等）３８を記録
する。
【００１６】
図６は、本発明による管理センタのホストコンピュータの伝票番号データベースで管理
されているデータの一例である。３９は振込先番号であり、振込先番号に対する伝票番号
、即ち振込先会社が発行した伝票番号４０と請求金額４１を記録する。
【００１７】
図７は、本実施例における自動取引装置の振込先番号入力画面である。利用者は番号キ
ー４３を押下することにより振込先番号を入力する。入力した振込先番号は振込先番号表
示エリア４２に表示される。利用者は表示された番号を確認し、確認キー４４を押下する
ことにより振込先番号の入力を終える。
【００１８】
図８は、本実施例における自動取引装置の伝票番号入力画面である。利用者は番号キー
４６を押下することにより伝票番号を入力する。入力した伝票番号は伝票番号表示エリア
４５に表示される。利用者は表示された番号を確認し、確認キー４７を押下することによ
り振込先番号の入力を終える。
【００１９】
図９、図１０および図１１は、それぞれ本発明による振込取引を行なう時の自動取引装
置の処理フロー、金融機関のホストコンピュータの処理フローおよび管理センタのホスト
コンピュータの処理フローである。利用者は、自動取引装置８のディスプレイ装置１３に
表示された取引名称キーの中から振込みを行なう旨のキーを選択する。（ステップ４８）
取引きが選択されると制御部１９は、表示入力部２１に対して振込方法を選択させる旨
を表示させ、利用者は振込方法を表示入力部２１より入力する。（ステップ４９）
振込方法の選択が完了すると、制御部１９はステップ４８で口座引落しによる振込が選
択された場合、表示入力部２１に対してカード挿入をさせる旨を表示させるとともに、カ
ード読取部１５にカード吸入を指示し、利用者がカード読取部１５にカードを挿入すると
カード読取部１５はカードを読み取り、記憶部２２に記憶する。（ステップ５０）
記憶が完了すると、制御部１９は表示入力部２１に暗証番号を入力させる旨を表示させ
、利用者は表示入力部２１より暗証番号を入力する。（ステップ５１）
ステップ５０で暗証番号入力完了後、またはステップ４８で現金による振込を選択した
場合、制御部１９は表示入力部２１に振込先番号を入力させる旨を表示（図７）させる。
利用者が支払請求伝票に指示された振込先番号を表示入力部２１より入力すると、入力さ
れた振込先番号を記憶部２２に記憶する。（ステップ５２）
続いて制御部１９は表示入力部２１に伝票番号を入力させる旨を表示（図８）させる。
利用者が支払請求伝票に付与された伝票番号を表示入力部２１より入力すると、入力され
た伝票番号を記憶部２２に記憶する。（ステップ５３）
番号の入力が完了すると、制御部１９は入力された振込先番号、伝票番号を含む振込照
会データを通信回線２４を介して金融機関のホストコンピュータ２５へ送信する。（ステ
ップ５３）
送信されたデータは金融機関のホストコンピュータの制御部２７が受信する。振込先番
号データおよび伝票番号データは金融機関のホストコンピュータの制御部２７は送信され
た振込先番号データおよび伝票番号データを通信回線３０を介して管理センタのホストコ
ンピュータ３１へ送信する。（ステップ５９）
送信されたデータは管理センタのホストコンピュータの制御部３３が受信し、記憶部３
２の振込先管理データに登録されている振込先番号を検索して、振込先情報を記憶部３２
に記憶する。（ステップ６１）
続いて制御部３３は記憶部３２の伝票管理データに登録されている振込先番号を検索し
、検索した振込先番号データに登録されている伝票番号を検索して、支払請求金額を記憶
部３２に記憶する。（ステップ６２）
振込先情報および支払請求金額の検索が完了すると、制御部３３は入力された振込先情
報データおよび支払請求金額データを通信回線３０を介して金融機関のホストコンピュー
タ２５へ送信する。（ステップ６３）
送信されたデータは金融機関のホストコンピュータの制御部２７が受信し、金融機関の
ホストコンピュータの制御部２７は受信した振込先情報、支払請求金額（振込金額）およ
びステップ５３で受信した振込照会データにより振込照会の可否を判断し、通信回線２４
を介して自動取引装置１４へ回答を送信する。（ステップ６０）
自動取引装置の制御部１９は受信した回答により振込内容とともに、内容を確認する旨
を表示入力部２１に表示し、利用者は内容を確認する。（ステップ５５）
制御部１９はステップ４８にて現金による振込を選択された場合、表示入力部２１に対
し現金の投入を指示する旨を表示させるとともに、紙幣入出金部１７、硬貨入出金部１８
を起動し利用者に現金の投入を促し、現金の投入がされると現金計数等を実行する。（ス
テップ５６）
制御部１９は、口座引落し振込の場合はステップ５４で振込内容確認完了後、現金振込
の場合はステップ５５で現金投入完了後、振込取引必要な情報を編集し、インタフェース
部２０にて金融機関のホストコンピュータ２５に取引実行問合わせを行ない、回答を受信
する。（ステップ５７）
取引実行回答電文を受信後、制御部１９は通帳明細票印字部１６に取引情報を編集した
明細票の発行を指示するとともに、表示入力部２１に明細票を受け取らせる旨を表示させ
、利用者が明細票を受け取ることにより取引を終了する。（ステップ５８）
【図面の簡単な説明】
【００２０】
【図１】本発明による振込みシステム構成図である。
【図２】本発明による自動取引装置の外観図である。
【図３】本発明による自動取引装置と金融機関のホストコンピュータのブロック図である。
【図４】本発明による管理センタのホストコンピュータのブロック図である。
【図５】本発明による管理センタのホストコンピュータの振込先番号データベースで管理されているデータの一例である。
【図６】本発明による管理センタのホストコンピュータの伝票番号データベースで管理されているデータの一例である。
【図７】本実施例における自動取引装置の振込先番号入力画面である。
【図８】本実施例における自動取引装置の伝票番号入力画面である。
【図９】本発明による振込取引を行なう時の自動取引装置の処理フローである。
【図１０】本発明による振込取引を行なう時の金融機関のホストコンピュータの処理フローである。
【図１１】本発明による振込取引を行なう時の管理センタのホストコンピュータの処理フローである。
【符号の説明】
【００２１】
１…銀行Ａ、２…銀行Ｂ、３…銀行Ｎ、４…通信回線、５…通信回線、６…通信回線、
７…管理センタ、８…自動取引装置の本体、９…通帳明細出入口、１０…カード出入口、
１１…紙幣出入口、１２…硬貨出入口、１３…ディスプレイ装置、１４…自動取引装置本
体、１５…カード読取部、１６…通帳明細票印字部、１７…紙幣入出金部、１８…硬貨入
出金部、１９…制御部、２０…インターフェース部、２１…表示入力部、２２…記憶部、
２３…電源部、２４…通信回線、２５…ホストコンピュータ本体、２６…記憶部、２７…
制御部、２８…インターフェース部、２９…電源部、３０…通信回線、３１…ホストコン
ピュータ本体、３２…記憶部、３３…制御部、３４…インタフェース部、３５…電源部、
３６…振込先番号、３７…振込先氏名（会社名）、３８…振込先情報、３９…振込先番号
、４０…伝票番号、４１…請求金額、４２…振込先番号表示エリア、４３…番号キー、４
４…確認キー、４５…伝票番号表示エリア、４６…番号キー、４７…確認キー。
【図１】
0004845922.tif 000002
【図２】
0004845922.tif 000003
【図３】
0004845922.tif 000004
【図４】
0004845922.tif 000005
【図５】
0004845922.tif 000006
【図６】
0004845922.tif 000007
【図７】
0004845922.tif 000008
【図８】
0004845922.tif 000009
【図９】
0004845922.tif 000010
【図１０】
0004845922.tif 000011
【図１１】
0004845922.tif 000012